(57)【特許請求の範囲】
【請求項１】
ディジタル複合データの各単位区分が対を成す前半トラック及び後半トラックの夫々に記録されたテープ状記録媒体から、前半トラックディジタル複合データの単位区分と後半トラックディジタル複合データの単位区分とを順次読み取るデータ読取部と、
上記前半トラックディジタル複合データの単位区分から該単位区分に含まれるディジタル情報データのデータサンプル数をあらわす前半トラックデータサイズ情報を得て、該前半トラックデータサイズ情報に応じた第１のフレームサイズ制御信号を発するとともに、上記後半トラックディジタル複合データの単位区分から該単位区分に含まれるディジタル情報データのデータサンプル数をあらわす後半トラックデータサイズ情報を得て、該後半トラックデータサイズ情報に応じた第２のフレームサイズ制御信号を発するフレームサイズ制御信号発生部と、
第１の置換用ディジタル情報データと第２の置換用ディジタル情報データとを供給するデータ供給部と、
上記第２の置換用ディジタル情報データを上記第１の置換用ディジタル情報データに比して所定の時間だけ遅延させるデータ遅延部と、
上記第１の置換用ディジタル情報データを上記第１のフレームサイズ制御信号に従って処理し、上記前半トラックデータサイズ情報があらわすデータサンプル数に相当するデータサンプル数有した編集用前半トラックディジタル情報データを逐次形成する第１の編集用ディジタルデータ形成部と、
上記データ遅延部により遅延せしめられた上記第２の置換用ディジタル情報データを上記第２のフレームサイズ制御信号に従って処理し、上記後半トラックデータサイズ情報があらわすデータサンプル数に相当するデータサンプル数を有した編集用後半トラックディジタル情報データを逐次形成する第２の編集用ディジタルデータ形成部と、
上記データ読取部から得られる前半トラックディジタル複合データの単位区分に含まれるディジタル情報データと上記編集用前半トラックディジタル情報データとについての編集処理を行って、記録用前半トラックディジタル情報データを得るとともに、上記データ読取部から得られる後半トラックディジタル複合データの単位区分に含まれるディジタル情報データと上記編集用後半トラックディジタル情報データとについての編集処理を行って、記録用後半トラックディジタル情報データを得るデータ編集部と、
上記記録用前半トラックディジタル情報データについての、上記テープ状記録媒体における上記前半トラックディジタル複合データの単位区分が読み取られた位置への記録、及び、上記記録用後半トラックディジタル情報データについての、上記テープ状記録媒体における上記後半トラックディジタル複合データの単位区分が読み取られた位置への記録を行うデータ記録部と、
を備えて構成されるディジタル情報記録読取装置。
【請求項２】
フレームサイズ制御信号発生部から発せられる第１及び第２のフレームサイズ制御信号が、上記第２のフレームサイズ制御信号が上記第１のフレームサイズ制御信号に比して、第２の置換用ディジタル情報データについての第１の置換用ディジタル情報データに比しての遅延時間に対応する時間だけ、遅延されたものとなる関係におかれることを特徴とする請求項１記載のディジタル情報記録読取装置。
【請求項３】
データ読取部が、ディジタル複合データの各単位区分が記録された対を成す前半トラック及び後半トラックの夫々が複数の傾斜記録トラックを含むものとされたテープ状記録媒体から、前半トラックディジタル複合データの単位区分と後半トラックディジタル複合データの単位区分とを順次読み取ることを特徴とする請求項１または２記載のディジタル情報記録読取装置。
【請求項４】
データ遅延部が、第２の置換用ディジタル情報データを第１の置換用ディジタル情報データに比して、データ読取部から得られる前半トラックディジタル複合データの単位区分の期間に相当する時間以下の時間だけ遅延させることを特徴とする請求項１，２または３記載のディジタル情報記録読取装置。
【請求項５】
データ読取部から順次得られる前半トラックディジタル複合データの単位区分及び後半トラックディジタル複合データの単位区分の夫々に含まれるディジタル情報データが、インターリーブ処理が施された複数のデータセグメントを含んで形成されるとともに、第１の編集用ディジタルデータ形成部から得られる編集用前半トラックディジタル情報データ及び第２の編集用ディジタルデータ形成部から得られる編集用後半トラックディジタル情報データの夫々が、インターリーブ処理が施された複数のデータセグメントを含んで形成されることを特徴とする請求項１，２または３記載のディジタル情報記録読取装置。
【請求項６】
データ編集部が、データ読取部から得られる前半トラックディジタル複合データの単位区分に含まれるディジタル情報データと編集用前半トラックディジタル情報データとについての編集処理、及び、データ読取部から得られる後半トラックディジタル複合データの単位区分に含まれるディジタル情報データと編集用後半トラックディジタル情報データとについての編集処理を、上記前半トラックディジタル複合データの単位区分に含まれるディジタル情報データ，編集用前半トラックディジタル情報データ，後半トラックディジタル複合データの単位区分に含まれるディジタル情報データ及び編集用後半トラックディジタル情報データの夫々が、インターリーブ処理が施された複数のデータセグメントを含んで形成される状態にあるもとで行うことを特徴とする請求項５記載のディジタル情報記録読取装置。
【発明の詳細な説明】
【０００１】
【発明の属する技術分野】
本発明は、情報信号に基づくディジタル複合データを形成して、そのディジタル複合データを記録媒体に記録する動作、及び、ディジタル複合データが記録された記録媒体からそのディジタル複合データを読み取る動作を行うディジタル情報記録読取装置に関する。
【０００２】
【従来の技術】
テレビジョン信号をディジタルデータ化して、磁気テープ上に、その長手方向に対して傾斜する傾斜記録トラックを配列形成して記録し、また、ディジタルデータ化されたテレビジョン信号が傾斜記録トラックを配列形成して記録された磁気テープから、ディジタルデータ化されたテレビジョン信号を読み取ってアナログ化し、再生テレビジョン信号を得る、所謂、ディジタルビデオテープレコーダ（ディジタルＶＴＲ）が、磁気テープを用いてのテレビジョン信号の記録及び読取りをテレビジョン信号の質の低下を実質的にもたらすことなく行えるものとして提案されている。斯かるディジタルＶＴＲについては、その例に関する記載を、例えば、日経ＢＰ社により発行された文献：『日経エレクトロニクス(NIKKEI ELECTRONICS)』, 10-11 1993 (No. 592), 第115 〜 122頁  にも見ることができる。
【０００３】
このようなディジタルＶＴＲの場合においても、例えば、テレビジョン信号の各フレーム期間分が記録に際しての単位区分とされるが、テレビジョン信号の１フレーム期間分とそれが記録される磁気テープにおける記録態様との関係は、その一例が図３に示される如くとされる。図３に示される例においては、テレビジョン信号の１フレーム期間分にアナログ／ディジタル変換（Ａ／Ｄ変換）が施されて得られるディジタルデータ（１フレーム期間分のディジタルデータ）が、磁気テープＴＰに順次配列形成される傾斜記録トラックＴＫのうちの順次隣り合う１２本に振り分けられて記録される。この１フレーム期間分のディジタルデータは、１フレーム期間分のビデオ信号の内容をあらわす１フレーム期間分のビデオ情報データを含んだビデオ複合データと１フレーム期間分のビデオ信号に対応するオーディオ信号の内容をあらわす１フレーム期間分のオーディオ情報データを含んだオーディオ複合データとを含むものとされる。
【０００４】
斯かる記録は、ディジタルデータが供給される回転磁気ヘッドが磁気テープＴＰを走査することによって行われ、図３における矢印ＤＴ及び矢印ＤＨは、夫々、磁気テープＴＰの走行方向及び磁気テープＴＰに対する回転磁気ヘッドの走査方向を示す。磁気テープＴＰに配列形成される多数の傾斜記録トラックＴＫの各々には、その始端側から終端側に向けて、当該傾斜記録トラックＴＫにおけるデータ構造をあらわすとともにデータ編集等に際しての位置の基準となるデータが記録された領域ＩＴ，オーディオ情報データを含んだオーディオ複合データが記録された領域ＡＤ，ビデオ情報データを含んだビデオ複合データが記録された領域ＶＤ、及び、時間情報をあらわすタイムコードデータが記録された領域ＳＣが形成される。
【０００５】
１本の傾斜記録トラックＴＫにおける領域ＡＤに記録されるオーディオ複合データは、例えば、多数のデータ同期ブロック部を主要部分とし、各データ同期ブロック部の前後に夫々プリアンブル部及びポストアンブル部が配されて構成される。主要部分を成す多数のデータ同期ブロック部の夫々は、例えば、同期データ，ＩＤコード，オーディオ補助データ，オーディオ情報データ、及び、誤り訂正のためのパリティコードデータとを含んで構成される。そして、ＩＤコードは、傾斜記録トラックに関する記録態様についての情報をあらわし、また、オーディオ補助データは、１フレーム期間分のオーディオ複合データに含まれるオーディオ情報データ（１フレーム期間分のオーディオ情報データ）についてのデータサンプル数を含むオーディオ情報データの記録条件に関する情報をあらわす。オーディオ情報データは、通常、それを形成する多数のデータセグメントに符号誤りの低減のためのインターリーブ処理が施されたものとされ、インターリーブ処理は、例えば、１フレーム期間分のオーディオ情報データをインターリーブ完結単位として行われる。
【０００６】
このようにしてビデオ複合データに伴って記録されるオーディオ複合データは、複数チャンネルのオーディオ信号に夫々基づく複数個、例えば、左右ステレオオーディオ信号の如くの２チャンネルのオーディオ信号に夫々基づく２個、が存在することが多い。即ち、１フレーム期間分のオーディオ複合データが記録される順次隣り合う１２本の傾斜記録トラックＴＫには、実際には、互いに独立した複数個、例えば、第１と第２の２個の１フレーム期間分のオーディオ複合データが記録されることになる。
【０００７】
１２本の傾斜記録トラックＴＫに第１の１フレーム期間分のオーディオ複合データと第２の１フレーム期間分のオーディオ複合データとが記録されるにあたっては、第１の１フレーム期間分のオーディオ複合データと第２の１フレーム期間分のオーディオ複合データとが、各々が時間圧縮されたものとなされて順次記録され、例えば、１２本の傾斜記録トラックＴＫのうちの最初のものからの６本目までのもの、即ち、前半の６本に、第１の１フレーム期間分のオーディオ複合データが時間圧縮されて記録され、それに続く、１２本の傾斜記録トラックＴＫのうちの７本目のものからの１２本目までのもの、即ち、後半の６本に、第２の１フレーム期間分のオーディオ複合データが時間圧縮されて記録される。（以下においては、上述の１２本の傾斜記録トラックＴＫのうちの前半の６本の如くの複数の傾斜記録トラックを前半トラックと呼び、また、上述の１２本の傾斜記録トラックＴＫのうちの後半の６本の如くの複数の傾斜記録トラックを後半トラックと呼ぶ。）
【０００８】
そして、１２本の傾斜記録トラックＴＫのうちの前半トラックに記録される第１の１フレーム期間分のオーディオ複合データ（前半トラックオーディオ複合データ）に含まれるオーディオ補助データは、その前半トラックオーディオ複合データに含まれる１フレーム期間分のオーディオ情報データについてのデータサンプル数に関する情報をあらわし、また、１２本の傾斜記録トラックＴＫのうちの後半トラックに記録される第２の１フレーム期間分のオーディオ複合データ（後半トラックオーディオ複合データ）に含まれるオーディオ補助データは、その後半トラックオーディオ複合データに含まれる１フレーム期間分のオーディオ情報データについてのデータサンプル数に関する情報をあらわす。
【０００９】
このようなもとで、ディジタルＶＴＲにより、上述の如くの磁気テープＴＰに多数配列形成される傾斜記録トラックＴＫの夫々から、ディジタルデータを読み取って、そのディジタルデータに基づく再生テレビジョン信号を得るにあたり、再生テレビジョン信号が得られるだけでなく、オーディオ複合データについての編集を行えるようにされることが望まれる事態がしばしばみられる。斯かるオーディオ複合データについての編集は、例えば、傾斜記録トラックＴＫにおける領域ＡＤに記録されたオーディオ複合データの一部を、それに含まれるオーディオ情報データが別のオーディオ情報データによって置き換えられたオーディオ複合データに変えることとされる。
【００１０】
そのため、オーディオ複合データについての編集にあたっては、読取用回転磁気ヘッドにより各傾斜記録トラックＴＫにおける領域ＡＤに記録されたオーディオ複合データを順次読み取り、読み取られたオーディオ複合データに含まれるオーディオ情報データの一部を、それとは異なる他のオーディオ情報データにより、例えば、比較的短い期間内において、一方のオーディオ情報データが次第に低減していき消滅するとともに、他方のオーディオ情報データが出現して次第に増大していく状態を生じさせるクロスフェード処理によって置き換え、置き換えられた新たなオーディオ情報データを含むオーディオ複合データを形成して、それを、複数の傾斜記録トラックＴＫの夫々における領域ＡＤのうちの、読取用回転磁気ヘッドにより読み取られた元のオーディオ複合データの一部が記録されたものに、記録用回転磁気ヘッドを用いて記録することになる。
【００１１】
従って、オーディオ複合データについての編集が行われるときには、磁気テープＴＰに形成された多数の傾斜記録トラックＴＫから前半トラックオーディオ複合データ及び後半トラックオーディオ複合データが順次読み取られ、前半トラックオーディオ複合データに基づく第１のオーディオ情報データ及び後半トラックオーディオ複合データに基づく第２のオーディオ情報データが得られるに際して、前半トラックオーディオ複合データに含まれる第１のオーディオ情報データの一部を置き換えるための、第１の置換用オーディオ情報データに基づく編集用前半トラックオーディオ情報データと、後半トラックオーディオ複合データに含まれる第２のオーディオ情報データの一部を置き換えるための、第２の置換用オーディオ情報データに基づく編集用後半トラックオーディオ情報データとが用意される。そして、読み取られた前半トラックオーディオ複合データに基づく第１のオーディオ情報データと編集用前半トラックオーディオ情報データとから、第１のオーディオ情報データの編集用前半トラックオーディオ情報データによる置換えにより得られる新たなオーディオ情報データを含む記録用前半トラックオーディオ情報データが形成されるとともに、読み取られた後半トラックオーディオ複合データに基づく第２のオーディオ情報データと編集用後半トラックオーディオ情報データとから、第２のオーディオ情報データの編集用後半トラックオーディオ情報データによる置換えにより得られる新たなオーディオ情報データを含む記録用後半トラックオーディオ情報データが形成され、磁気テープＴＰ上の多数の傾斜記録トラックＴＫのうちの選択されたものにおいて、そこに記録された前半トラックオーディオ複合データ及び後半トラックオーディオ複合データに代えて、記録用前半トラックオーディオ情報データを含んだ記録用オーディオ複合データ及び記録用後半トラックオーディオ情報データを含んだ記録用オーディオ複合データが記録される。
【００１２】
斯かるとき、第１の置換用オーディオ情報データに基づく編集用前半トラックオーディオ情報データ、及び、第２の置換用オーディオ情報データに基づく編集用後半トラックオーディオ情報データが用意されるにあたっては、第１のオーディオ情報データが編集用前半トラックオーディオ情報データにより置き換えられるとともに、第２のオーディオ情報データが編集用後半トラックオーディオ情報データにより置き換えられることからして、編集用前半トラックオーディオ情報データの形成に際して、そのデータサイズが、読み取られた前半トラックオーディオ複合データに含まれるオーディオ補助データがあらわすデータサンプル数に対応するデータサンプル数をとるように設定されることが要され、また、編集用後半トラックオーディオ情報データの形成に際して、そのデータサイズが、読み取られた後半トラックオーディオ複合データに含まれるオーディオ補助データがあらわすデータサンプル数に対応するデータサンプル数をとるように設定されることが要されることになる。
【００１３】
【発明が解決しようとする課題】
しかしながら、上述の如くに、オーディオ複合データについての編集に際しての、第１の置換用オーディオ情報データに基づく編集用前半トラックオーディオ情報データと第２の置換用オーディオ情報データに基づく編集用後半トラックオーディオ情報データとの形成にあたり、磁気テープＴＰから読み取られた前半トラックオーディオ複合データ及び後半トラックオーディオ複合データから夫々に含まれるオーディオ補助データが再生されるタイミングに起因して、例えば、編集用前半トラックオーディオ情報データのデータサイズについては、読み取られた前半トラックオーディオ複合データに含まれるオーディオ補助データがあらわすデータサンプル数に対応するデータサンプル数をとるものに設定できるが、記録用後半トラックオーディオ情報データのデータサイズについては、読み取られた後半トラックオーディオ複合データに含まれるオーディオ補助データがあらわすデータサンプル数に対応するデータサンプル数をとるように設定することができなくなる事態が生じる。
【００１４】
例えば、図４に示されるタイムチャート（図の左から右に時間が経過している）における図４のＡに示される如くに、０〜１１の番号の繰り返しをもってあらわされ、０〜５が前半トラックで６〜１１が後半トラックとされる、磁気テープＴＰにおける傾斜記録トラックＴＫから読み取られた前半トラックオーディオ複合データ及び後半トラックオーディオ複合データの夫々の単位区分に基づき、図４のＢに示される如くに、オーディオ補助データＤｓｐが、前半トラックオーディオ複合データに含まれるオーディオ補助データである前半トラックオーディオ補助データＤｓｐＦと後半トラックオーディオ複合データに含まれるオーディオ補助データである後半トラックオーディオ補助データＤｓｐＳとが交互に連なる状態をもって再生されるとき、上述の問題が生じる。このような前半トラックオーディオ補助データＤｓｐＦと後半トラックオーディオ補助データＤｓｐＳとを含むオーディオ補助データＤｓｐの再生タイミングは、主として、磁気テープＴＰにおける前半トラック及び後半トラックの夫々に含まれる傾斜記録トラックＴＫの数，磁気テープＴＰに関連した読取用回転磁気ヘッドの配置位置等の物理的条件に従って定められる。
【００１５】
再生された前半トラックオーディオ補助データＤｓｐＦ及び後半トラックオーディオ補助データＤｓｐＳは一旦メモリ手段に格納され、図４のＣに示される如くの読出期間Ｔｒ毎にメモリ手段から読み出される。そして、図４のＤ及び図４のＥに示される如くに、読出期間Ｔｒにおいて読み出された前半トラックオーディオ補助データＤｓｐＦがあらわす前半トラックデータサイズ情報ＤＳＮＦ、及び、読出期間Ｔｒにおいて読み出された後半トラックオーディオ補助データＤｓｐＳがあらわす後半トラックデータサイズ情報ＤＳＮＳが得られる。前半トラックデータサイズ情報ＤＳＮＦは、前半トラックオーディオ複合データの単位区分に含まれるオーディオ情報データのデータサンプル数を示し、また、後半トラックデータサイズ情報ＤＳＮＳは、後半トラックオーディオ複合データの単位区分に含まれるオーディオ情報データのデータサンプル数を示す。
【００１６】
図４のＤに示される如くに前半トラックデータサイズ情報ＤＳＮＦが得られることにより、図４のＦに示される如くの第１の置換用オーディオ情報データＤＡＬに対するデータサイズ設定制御を行うフレームサイズ制御信号ＰＦＬが、図４のＧに示される如くに、前半トラックデータサイズ情報ＤＳＮＦが示すデータサンプル数に応じたものとして得られる。それにより、第１の置換用オーディオ情報データＤＡＬに基づき、図４のＨに示される如くに、データサイズが前半トラックデータサイズ情報ＤＳＮＦが示すデータサンプル数に対応するデータサンプル数をとるものに設定された編集用前半トラックオーディオ情報データＤＡＦＬが形成される。このようにして得られる編集用前半トラックオーディオ情報データＤＡＦＬは、フレームサイズ制御信号ＰＦＬより遅れた、図４のＩに示される如くの転送信号ＰＴＬに応じて、図４のＪに示される如くに、前半トラックオーディオ複合データの単位区分の期間に相当する時間に圧縮され、時間圧縮された編集用前半トラックオーディオ情報データＤＡＬＥとして送出される。
【００１７】
このとき、図４のＫに示される如くの第２の置換用オーディオ情報データＤＡＲについても、図４のＧに示されるフレームサイズ制御信号ＰＦＬと同様なフレームサイズ制御信号によるデータサイズ設定制御が行われることが必要とされるが、例えば、図４のＧに示されるフレームサイズ制御信号ＰＦＬに同期したフレームサイズ制御信号（ＰＦＲ）によってデータサイズ設定制御が行われるとすると、図４のＬに示される如くに、フレームサイズ制御信号（ＰＦＲ）に従った編集用後半トラックオーディオ情報データＤＡＦＲが形成される。斯かる編集用後半トラックオーディオ情報データＤＡＦＲは、転送信号ＰＴＬより前半トラックオーディオ複合データの単位区分の期間に相当する時間だけ遅れた、図４のＭに示される如くの転送信号ＰＴＲに応じて、図４のＮに示される如くに、後半トラックオーディオ複合データの単位区分の期間に相当する時間に圧縮され、時間圧縮された編集用後半トラックオーディオ情報データＤＡＲＥとして送出される。それにより、図４のＯに示される如くの、時間圧縮された編集用前半トラックオーディオ情報データＤＡＬＥと時間圧縮された編集用後半トラックオーディオ情報データＤＡＲＥとが交互に得られる編集用オーディオ情報データが形成されることになる。
【００１８】
しかしながら、斯かる場合には、図４のＬに示される編集用後半トラックオーディオ情報データＤＡＦＲは、図４のＧに示されるフレームサイズ制御信号ＰＦＬに同期したフレームサイズ制御信号（ＰＦＲ）によるデータサイズ設定制御が行われてデータサイズが設定されたものであって、図４のＥに示される如くに得られる後半トラックデータサイズ情報ＤＳＮＳが示すデータサンプル数に対応したデータサンプル数を有したものとはされない。即ち、フレームサイズ制御信号（ＰＦＲ）が得られるときには図４のＥに示される後半トラックデータサイズ情報ＤＳＮＳは得られていず、従って、フレームサイズ制御信号（ＰＦＲ）は、後半トラックデータサイズ情報ＤＳＮＳが示すデータサンプル数に応じたものとして得られるものではない。それゆえ、編集用後半トラックオーディオ情報データＤＡＦＲ、さらには、それが時間圧縮されて得られる時間圧縮された編集用後半トラックオーディオ情報データＤＡＲＥの形成にあたっては、そのデータサイズの設定に、後半トラックデータサイズ情報ＤＳＮＳが示すデータサンプル数が反映されていないことになってしまう。
【００１９】
斯かる点に鑑み、本願の特許請求の範囲における請求項１から請求項６までのいずれかに記載された発明は、ディジタル複合データの各単位区分が対を成す前半トラック及び後半トラックの夫々に記録されたテープ状記録媒体から、前半トラックディジタル複合データの単位区分と後半トラックディジタル複合データの単位区分とを順次読み取り、読み取られた前半トラックディジタル複合データの単位区分に含まれる、例えば、オーディオ情報データとされるディジタル情報データと編集用前半トラックディジタル情報データとについての編集処理を行って、記録用前半トラックディジタル情報データを得るとともに、読み取られた後半トラックディジタル複合データの単位区分に含まれる、例えば、オーディオ情報データとされるディジタル情報データと編集用後半トラックディジタル情報データとについての編集処理を行って、記録用後半トラックディジタル情報データを得、記録用前半トラックディジタル情報データをテープ状記録媒体における前半トラックディジタル複合データの単位区分が読み取られた位置に記録するとともに、記録用後半トラックディジタル情報データをテープ状記録媒体における後半トラックディジタル複合データの単位区分が読み取られた位置へ記録する、ディジタル複合データについての編集を行うにあたり、編集用前半トラックディジタル情報データのデータサイズを、読み取られた前半トラックディジタル複合データに含まれるディジタル情報データについてのデータサンプル数に対応するデータサンプル数をとるものとする設定、及び、編集用後半トラックディジタル情報データのデータサイズを、読み取られた後半トラックディジタル複合データに含まれるディジタル情報データについてのデータサンプル数に対応するデータサンプル数をとるものとする設定のいずれをも、確実に行うことができるディジタル情報記録読取装置を提供する。
【００２０】
【課題を解決するための手段】
本願の特許請求の範囲における請求項１から請求項６までのいずれかに記載された発明に係るディジタル情報記録読取装置は、ディジタル複合データの各単位区分が対を成す前半トラック及び後半トラックの夫々に記録されたテープ状記録媒体から、前半トラックディジタル複合データの単位区分と後半トラックディジタル複合データの単位区分とを順次読み取るデータ読取部と、前半トラックディジタル複合データの単位区分からそれに含まれるディジタル情報データのデータサンプル数をあらわす前半トラックデータサイズ情報を得て、その情報に応じた第１のフレームサイズ制御信号を発するとともに、後半トラックディジタル複合データの単位区分からそれに含まれるディジタル情報データのデータサンプル数をあらわす後半トラックデータサイズ情報を得て、その情報に応じた第２のフレームサイズ制御信号を発するフレームサイズ制御信号発生部と、第１の置換用ディジタル情報データと第２の置換用ディジタル情報データとを供給するデータ供給部と、第２の置換用ディジタル情報データを第１の置換用ディジタル情報データに比して所定の時間だけ遅延させるデータ遅延部と、第１の置換用ディジタル情報データを第１のフレームサイズ制御信号に従って処理し、前半トラックデータサイズ情報があらわすデータサンプル数に相当するデータサンプル数を有した編集用前半トラックディジタル情報データを逐次形成する第１の編集用ディジタルデータ形成部と、データ遅延部により遅延せしめられた第２の置換用ディジタル情報データを第２のフレームサイズ制御信号に従って処理し、後半トラックデータサイズ情報があらわすデータサンプル数に相当するデータサンプル数を有した編集用後半トラックディジタル情報データを逐次形成する第２の編集用ディジタルデータ形成部と、データ読取部から得られる前半トラックディジタル複合データの単位区分に含まれるディジタル情報データと編集用前半トラックディジタル情報データとについての編集処理を行って、記録用前半トラックディジタル情報データを得るとともに、データ読取部から得られる後半トラックディジタル複合データの単位区分に含まれるディジタル情報データと編集用後半トラックディジタル情報データとについての編集処理を行って、記録用後半トラックディジタル情報データを得るデータ編集部と、記録用前半トラックディジタル情報データについての、テープ状記録媒体における前半トラックディジタル複合データの単位区分が読み取られた位置への記録、及び、記録用後半トラックディジタル情報データについての、テープ状記録媒体における後半トラックディジタル複合データの単位区分が読み取られた位置への記録を行うデータ記録部とを備えて構成される。
【００２１】
特に、本願の特許請求の範囲における請求項４に記載された発明に係るディジタル情報記録読取装置は、データ遅延部が、第２の置換用ディジタル情報データを第１の置換用ディジタル情報データに比して、データ読取部から得られる前半トラックディジタル複合データの単位区分の期間に相当する時間以下の時間だけ遅延させる。
【００２２】
このように構成される本願の特許請求の範囲における請求項１から請求項６までのいずれかに記載された発明に係るディジタル情報記録読取装置にあっては、データ遅延部によって第２の置換用ディジタル情報データが第１の置換用ディジタル情報データに比して、例えば、データ読取部から得られる前半トラックディジタル複合データの単位区分の期間に相当する時間以下とされる所定の時間だけ遅延せしめられるので、第１の編集用ディジタルデータ形成部から、第１の置換用ディジタル情報データがデータ読取部から得られる前半トラックディジタル複合データの単位区分に含まれる前半トラックデータサイズ情報に応じた第１のフレームサイズ制御信号に従って処理されて形成され、前半トラックデータサイズ情報があらわすデータサンプル数に相当するデータサンプル数を有したものとされる編集用前半トラックディジタル情報データが得られるとともに、第２の編集用ディジタルデータ形成部から、第２の置換用ディジタル情報データがデータ読取部から得られる後半トラックディジタル複合データの単位区分に含まれる後半トラックデータサイズ情報に応じた第２のフレームサイズ制御信号に従って処理されて形成され、後半トラックデータサイズ情報があらわすデータサンプル数に相当するデータサンプル数を有したものとされる編集用後半トラックディジタル情報データが、確実に得られる。
【００２３】
それにより、データ編集部における編集処理に供される、データ読取部から得られる前半トラックディジタル複合データの単位区分に含まれるディジタル情報データと編集用前半トラックディジタル情報データとが、夫々のデータサンプル数が適正に合致したものとされるとともに、同じくデータ編集部における編集処理に供される、データ読取部から得られる後半トラックディジタル複合データの単位区分に含まれるディジタル情報データと編集用後半トラックディジタル情報データとが、夫々のデータサンプル数が適正に合致したものとされることになる。
【００２４】
【発明の実施の形態】
図１は、本願の特許請求の範囲における請求項１から請求項６までのいずれかに記載された発明に係るディジタル情報記録読取装置の一例を示す。この図１に示される例は、テレビジョン信号に基づいてそのテレビジョン信号をあらわすディジタルデータを形成し、形成されたディジタルデータを記録媒体に記録する動作、及び、テレビジョン信号をあらわすディジタルデータが記録された記録媒体からそのディジタルデータを読み取り、読み取られたディジタルデータに基づいてテレビジョン信号を再生する動作を行うものとされ、図３に示される如くにして多数の傾斜記録トラックＴＫが配列形成される磁気テープＴＰと共に用いられるディジタルＶＴＲを構成するものとされている。
【００２５】
磁気テープＴＰに形成された多数の傾斜記録トラックＴＫには、テレビジョン信号をあらわすディジタルデータが、ビデオ複合データ，オーディオ複合データ及び他のデータを含んだものとして記録されている。ビデオ複合データは、その各フレーム期間分が順次隣合う１２本の傾斜記録トラックＴＫに記録されており、また、オーディオ複合データは、左右ステレオオーディオ信号である２チャンネルのオーディオ信号に夫々基づく２個が存在し、一方のオーディオ複合データの１フレーム期間分が、１フレーム期間分のビデオ複合データが記録された１２本の傾斜記録トラックＴＫのうちの前半トラックに、時間圧縮されて、１フレーム期間分の前半トラックオーディオ複合データとして記録されており、また、他方のオーディオ複合データの１フレーム期間分が、１フレーム期間分のビデオ複合データが記録された１２本の傾斜記録トラックＴＫのうちの後半トラックに、時間圧縮されて、１フレーム期間分の後半トラックオーディオ複合データとして記録されている。
【００２６】
前半トラックオーディオ複合データ及び後半トラックオーディオ複合データの夫々は、オーディオ情報データ、及び、同期データ，ＩＤコード，オーディオ補助データ等のオーディオ情報データに対する付属情報データを含んでいる。オーディオ情報データは、それを形成する多数のデータセグメントに符号誤りの低減のためのインターリーブ処理が施されており、そのインターリーブ処理は、１フレーム期間分のオーディオ情報データをインターリーブ完結単位としている。ＩＤコードは、傾斜記録トラックＴＫに関する記録態様についての情報をあらわし、また、オーディオ補助データは、１フレーム期間分のオーディオ情報データについてのデータサンプル数を示すデータサイズ情報等のオーディオ情報データの記録条件に関する情報をあらわす。
【００２７】
図１に示される例にあっては、図３に示される如くにして傾斜記録トラックＴＫが配列形成される磁気テープＴＰと共に用いられるもとで、読取用回転磁気ヘッド１１により、磁気テープＴＰからテレビジョン信号をあらわすディジタルデータＤＴＴが１フレーム期間分を単位区分として順次読み取られる。ディジタルデータＤＴＴに含まれるオーディオ複合データについて見ると、読取用回転磁気ヘッド１１により磁気テープＴＰから、１フレーム期間分の前半トラックオーディオ複合データと１フレーム期間分の後半トラックオーディオ複合データとが順次繰り返して読み取られることになる。
【００２８】
読取用回転磁気ヘッド１１から得られるディジタルデータＤＴＴは、再生増幅部１２により増幅され、イコライザ部１３を通じて、インナーパリティ誤訂正部１４に供給される。インナーパリティ誤訂正部１４においては、ディジタルデータＤＴＴに含まれたビデオ複合データ及びオーディオ複合データの夫々についての、それが有するインナーパリティにより検出された符号エラーについての誤訂正処理が行われ、それにより得られる総合データＤＴＯが、アウターパリティ誤訂正部１５及びオーディオ・アウターパリティ誤訂正部１６の夫々に供給される。
【００２９】
アウターパリティ誤訂正部１５においては、総合データＤＴＯに含まれたビデオ複合データ及びオーディオ複合データの夫々についての、それが有するアウターパリティにより検出された符号エラーについての誤訂正処理が行われるとともに、誤訂正処理が行われたビデオ複合データＤＶＯが導出され、さらに、誤訂正処理が行われたオーディオ複合データＤＡＯが導出される。ビデオ複合データＤＶＯは、図１における図示が省略されたビデオ情報処理部に供給され、また、オーディオ複合データＤＡＯは、スイッチ１７の選択接点１７ａに供給される。
【００３０】
オーディオ・アウターパリティ誤訂正部１６においては、総合データＤＴＯに含まれたオーディオ複合データについての、それが有するアウターパリティにより検出された符号エラーについての誤訂正処理が行われて、誤訂正処理が行われたオーディオ複合データＤＡＱが、交互に連なる１フレーム期間分の前半トラックオーディオ複合データと１フレーム期間分の後半トラックオーディオ複合データとによって構成される状態をもって順次得られ、それがメモリ部１８，メモリ制御信号形成部１９及び付属情報データ処理部２１に供給される。
【００３１】
メモリ制御信号形成部１９においては、オーディオ複合データＤＡＱを構成する１フレーム期間分の前半トラックオーディオ複合データ及び１フレーム期間分の後半トラックオーディオ複合データの夫々に対応した書込制御信号ＱＷが形成されて、その書込制御信号ＱＷがメモリ部１８に供給される。それにより、メモリ部１８においては、書込制御信号ＱＷ応じて、オーディオ複合データＤＡＱが、それを構成する１フレーム期間分の前半トラックオーディオ複合データ及び１フレーム期間分の後半トラックオーディオ複合データの夫々ずつ、順次書き込まれて格納される。
【００３２】
付属情報データ処理部２１においては、オーディオ複合データＤＡＱを構成する１フレーム期間分の前半トラックオーディオ複合データ及び１フレーム期間分の後半トラックオーディオ複合データの夫々に含まれる付属情報データＤａｐが取り出されるとともに、１フレーム期間分の前半トラックオーディオ複合データ及び１フレーム期間分の後半トラックオーディオ複合データの夫々に含まれる付属情報データＤａｐのうちのオーディオ補助データＤｓｐが順次取り出される。このオーディオ補助データＤｓｐは、１フレーム期間分の前半トラックオーディオ複合データに含まれる前半トラックオーディオ補助データと１フレーム期間分の後半トラックオーディオ複合データに含まれる後半トラックオーディオ補助データとが交互に連なって形成される。前半トラックオーディオ補助データは、１フレーム期間分の前半トラックオーディオ複合データに含まれる１フレーム期間分のディジタル情報データのデータサンプル数を示す前半トラックデータサイズ情報をあらわし、また、後半トラックオーディオ補助データは、１フレーム期間分の後半トラックオーディオ複合データに含まれる１フレーム期間分のディジタル情報データのデータサンプル数を示す後半トラックデータサイズ情報をあらわす。そして、取り出されたオーディオ補助データＤｓｐは、フレームサイズ制御信号形成部２２に供給される。
【００３３】
フレームサイズ制御信号形成部２２においては、オーディオ補助データＤｓｐを形成する前半トラックオーディオ補助データがあらわす前半トラックデータサイズ情報に応じたフレームサイズ制御信号ＰＦＬと、オーディオ補助データＤｓｐを形成する後半トラックオーディオ補助データがあらわす後半トラックデータサイズ情報に応じたフレームサイズ制御信号ＰＦＲとが形成される。フレームサイズ制御信号ＰＦＬ及びＰＦＲの夫々の形成にあたっては、付属情報データ処理部２１から供給されるオーディオ補助データＤｓｐが、一旦、フレームサイズ制御信号形成部２２に内蔵されたメモリ手段に順次書き込まれて格納され、そのメモリ手段から、予め設定された読出期間毎に、オーディオ補助データＤｓｐを形成する前半トラックオーディオ補助データと後半トラックオーディオ補助データとが交互に読み出される。そして、メモリ手段から読み出された前半トラックオーディオ補助データと後半トラックオーディオ補助データとが、フレームサイズ制御信号ＰＦＬとフレームサイズ制御信号ＰＦＲとの形成に供される。
【００３４】
このようにして、フレームサイズ制御信号形成部２２において形成されるフレームサイズ制御信号ＰＦＬ及びＰＦＲは、付属情報データ処理部２１からの前半トラックオーディオ補助データ及び後半トラックオーディオ補助データの供給タイミングに応じて、フレームサイズ制御信号ＰＦＲが、フレームサイズ制御信号ＰＦＬに比して、読取用回転磁気ヘッド１１から得られるディジタルデータＤＴＴに含まれる前半トラックオーディオ複合データの１フレーム期間分の期間に相当する時間だけ遅延した関係にあるものとされる。
【００３５】
一方、選択された期間において、左右のステレオオーディオ信号を形成する置換用のオーディオ信号ＳＡＬ及びＳＡＲが、相互に同期したものとして、オーディオ信号入力端子２５及び２６に夫々供給される。オーディオ信号入力端子２５を通じたオーディオ信号ＳＡＬは、Ａ／Ｄ変換部２７に供給され、Ａ／Ｄ変換部２７において、オーディオ信号ＳＡＬに基づく置換用オーディオ情報データＤＡＬが得られる。Ａ／Ｄ変換部２７から得られる置換用オーディオ情報データＤＡＬは、ディジタル信号処理部２８において必要なデータ処理が施されて置換用オーディオ情報データＤＡＬ’とされた後、編集用ディジタルデータ形成部２９に供給される。
【００３６】
また、オーディオ信号入力端子２６を通じたオーディオ信号ＳＡＲは、Ａ／Ｄ変換部３０に供給され、Ａ／Ｄ変換部３０において、オーディオ信号ＳＡＲに基づく置換用オーディオ情報データＤＡＲが得られる。Ａ／Ｄ変換部３０から得られる置換用オーディオ情報データＤＡＲは、ディジタル信号処理部３１に供給される。
【００３７】
ディジタル信号処理部３１においては、置換用オーディオ情報データＤＡＲに対して、必要なデータ処理が施されるとともに、置換用オーディオ情報データＤＡＲをディジタル信号処理部２８から得られる置換用オーディオ情報データＤＡＬ’に比して所定の時間だけ遅延させる遅延処理が施される。従って、ディジタル信号処理部３１は、置換用オーディオ情報データＤＡＲに対するデータ遅延部を形成していることになる。この置換用オーディオ情報データＤＡＲの遅延に際しての所定の時間は、読取用回転磁気ヘッド１１から得られるディジタルデータＤＴＴに含まれる前半トラックオーディオ複合データの１フレーム期間分の期間に相当する時間以下の時間とされる。
【００３８】
ディジタル信号処理部３１からは、置換用オーディオ情報データＤＡＲに基づく遅延された置換用オーディオ情報データＤＡＲＤが得られて、それが編集用ディジタルデータ形成部３２に供給される。
【００３９】
編集用ディジタルデータ形成部２９には、ディジタル信号処理部２８からの置換用オーディオ情報データＤＡＬ’に加えて、フレームサイズ制御信号形成部２２において形成されるフレームサイズ制御信号ＰＦＬが供給される。そして、編集用ディジタルデータ形成部２９においては、置換用オーディオ情報データＤＡＬ’に対してフレームサイズ制御信号ＰＦＬに従った処理が施されて、置換用オーディオ情報データＤＡＬ’に基づいた、前半トラックデータサイズ情報が示すデータサンプ数に相当するデータサンプル数を有した編集用オーディオ情報データが、逐次形成される。
【００４０】
さらに、編集用ディジタルデータ形成部２９においては、形成された編集用オーディオ情報データの夫々に付属情報データが付加され、その付属情報データが付加された編集用オーディオ情報データが、読取用回転磁気ヘッド１１から得られるディジタルデータＤＴＴに含まれる前半トラックオーディオ複合データの１フレーム期間分の期間に相当する期間を占めるデータを形成すべく時間圧縮されて、編集用前半トラックオーディオ情報データＤＡＬＥが形成されるとともに、その編集用前半トラックオーディオ情報データＤＡＬＥとそれに付加された付属情報データＤｅｐとを含んだ編集用複合データＤＡＬＸが形成される。従って、編集用ディジタルデータ形成部２９は、置換用オーディオ情報データＤＡＬ’をフレームサイズ制御信号ＰＦＬに従って処理し、それにより、置換用オーディオ情報データＤＡＬ’に基づく、前半トラックデータサイズ情報が示すデータサンプ数に相当するデータサンプル数を有した編集用前半トラックオーディオ情報データＤＡＬＥを逐次形成するとともに、それに付属情報データＤｅｐが付加されたものとして得られる編集用複合データＤＡＬＸを形成することになる。
【００４１】
編集用ディジタルデータ形成部２９からは、編集用前半トラックオーディオ情報データＤＡＬＥ及びそれに付加された付属情報データＤｅｐを含んだ編集用複合データＤＡＬＸが、フレームサイズ制御信号ＰＦＬに対して所定の時間だけ遅延した転送信号に応じて所定のタイミング毎に送出され、スイッチ３３の選択接点３３ａに供給される。
【００４２】
また、編集用ディジタルデータ形成部３２には、ディジタル信号処理部３１からの遅延された置換用オーディオ情報データＤＡＲＤに加えて、フレームサイズ制御信号形成部２２において形成されるフレームサイズ制御信号ＰＦＲが供給される。そして、編集用ディジタルデータ形成部３２においては、遅延された置換用オーディオ情報データＤＡＲＤに対してフレームサイズ制御信号ＰＦＲに従った処理が施されて、遅延された置換用オーディオ情報データＤＡＲＤに基づいた、後半トラックデータサイズ情報が示すデータサンプ数に相当するデータサンプル数を有した編集用オーディオ情報データが、逐次形成される。
【００４３】
さらに、編集用ディジタルデータ形成部３２においては、形成された編集用オーディオ情報データの夫々に付属情報データが付加され、その付属情報データが付加された編集用オーディオ情報データが、読取用回転磁気ヘッド１１から得られるディジタルデータＤＴＴに含まれる後半トラックオーディオ複合データの１フレーム期間分の期間に相当する期間を占めるデータを形成すべく時間圧縮されて、編集用後半トラックオーディオ情報データＤＡＲＥが形成されるとともに、その編集用後半トラックオーディオ情報データＤＡＲＥとそれに付加された付属情報データＤｅｐとを含んだ編集用複合データＤＡＲＸが形成される。従って、編集用ディジタルデータ形成部３１は、遅延された置換用オーディオ情報データＤＡＲＤをフレームサイズ制御信号ＰＦＲに従って処理し、それにより、遅延された置換用オーディオ情報データＤＡＲＤに基づく、後半トラックデータサイズ情報が示すデータサンプ数に相当するデータサンプル数を有した編集用後半トラックオーディオ情報データＤＡＲＥを逐次形成するとともに、それに付属情報データＤｅｐが付加されたものとして得られる編集用複合データＤＡＲＸを形成することになる。
【００４４】
編集用ディジタルデータ形成部３２からは、編集用後半トラックオーディオ情報データＤＡＲＥ及びそれに付加された付属情報データＤｅｐを含んだ編集用複合データＤＡＲＸが、フレームサイズ制御信号ＰＦＬに対して所定の時間だけ遅延した転送信号に応じて所定のタイミング毎に送出され、スイッチ３３の選択接点３３ｂに供給される。
【００４５】
スイッチ３３は、制御信号Ｃ１に応じて、可動接点３３ｃが選択接点３３ａに接続される状態と可動接点３３ｃが選択接点３３ｂに接続される状態とを交互にとって、可動接点３３ｃに、編集用ディジタルデータ形成部２９から選択接点３３ａに供給される編集用複合データＤＡＬＸと編集用ディジタルデータ形成部３２から選択接点３３ｂに供給される編集用複合データＤＡＲＸとを交互に取り出す。そして、スイッチ３３の可動接点３３ｃに得られる編集用複合データＤＡＬＸ及びＤＡＲＸは、データ編集部３５に供給されるとともに、付属情報データ処理部４０に供給される。
【００４６】
データ編集部３５からは、編集用複合データＤＡＬＸ及びＤＡＲＸに含まれる編集用前半トラックオーディオ情報データＤＡＬＥ及び編集用後半トラックオーディオ情報データＤＡＲＥの夫々のタイミングに応じたタイミング信号ＱＲＲがメモリ制御信号形成部１９に供給される。メモリ制御信号形成部１９においては、タイミング信号ＱＲＲに応じた読出制御信号ＱＲが形成され、その読出制御信号ＱＲがメモリ部１８に供給される。それにより、メモリ部１８に格納されたオーディオ複合データＤＡＱが、読出制御信号ＱＲに応じて、メモリ部１８から、１フレーム期間分の前半トラックオーディオ複合データ及び１フレーム期間分の後半トラックオーディオ複合データの夫々ずつ順次読み出されて、データ編集部３５に供給される。
【００４７】
データ編集部３５においては、メモリ部１８からのオーディオ複合データＤＡＱにおける１フレーム期間分の前半トラックオーディオ複合データに含まれる１フレーム期間分のオーディオ情報データが、編集用ディジタルデータ形成部２９からの編集用複合データＤＡＬＸに含まれる編集用前半トラックオーディオ情報データＤＡＬＥによって置き換えられることになる編集処理、及び、メモリ部１８からのオーディオ複合データＤＡＱにおける１フレーム期間分の後半トラックオーディオ複合データに含まれる１フレーム期間分のオーディオ情報データが、編集用ディジタルデータ形成部３２からの編集用複合データＤＡＲＸに含まれる編集用後半トラックオーディオ情報データＤＡＲＥによって置き換えられることになる編集処理が行われ、さらに、その後、編集用ディジタルデータ形成部２９からの編集用複合データＤＡＬＸに含まれる編集用前半トラックオーディオ情報データＤＡＬＥが、メモリ部１８からのオーディオ複合データＤＡＱにおける１フレーム期間分の前半トラックオーディオ複合データに含まれる１フレーム期間分のオーディオ情報データによって置き換えられることになる編集処理、及び、編集用ディジタルデータ形成部３２からの編集用複合データＤＡＲＸに含まれる編集用後半トラックオーディオ情報データＤＡＲＥが、メモリ部１８からのオーディオ複合データＤＡＱにおける１フレーム期間分の後半トラックオーディオ複合データに含まれる１フレーム期間分のオーディオ情報データによって置き換えられることになる編集処理が行われる。
【００４８】
このようなデータ編集部３５により行われる編集処理は、例えば、オーディオ複合データＤＡＱにおける１フレーム期間分の前半トラックオーディオ複合データに含まれる１フレーム期間分のオーディオ情報データと編集用前半トラックオーディオ情報データＤＡＬＥとについてのクロスフェード処理による置換え、及び、オーディオ複合データＤＡＱにおける１フレーム期間分の後半トラックオーディオ複合データに含まれる１フレーム期間分のオーディオ情報データと編集用後半トラックオーディオ情報データＤＡＲＥとについてのクロスフェード処理による置換えによって行われる。
【００４９】
そして、データ編集部３５にあっては、オーディオ複合データＤＡＱにおける１フレーム期間分の前半トラックオーディオ複合データに含まれる１フレーム期間分のオーディオ情報データと編集用前半トラックオーディオ情報データＤＡＬＥとについての編集処理によって、記録用前半トラックオーディオ情報データが得られるとともに、オーディオ複合データＤＡＱにおける１フレーム期間分の後半トラックオーディオ複合データに含まれる１フレーム期間分のオーディオ情報データと編集用後半トラックオーディオ情報データＤＡＲＥとについての編集処理によって、記録用後半トラックオーディオ情報データが得られる。このようにして得られる記録用前半トラックオーディオ情報データ及び記録用後半トラックオーディオ情報データは、記録用オーディオ情報データＤＡＥＸを形成するものとしてデータ編集部３５から順次送出され、スイッチ３６の選択接点３６ａに供給される。
【００５０】
オーディオ・アウターパリティ誤訂正部１６からのオーディオ複合データＤＡＱが供給される付属情報データ処理部２１においては、オーディオ複合データＤＡＱに含まれる付属情報データＤａｐが取り出され、それがスイッチ４１の選択接点４１ａに供給される。また、スイッチ３３の可動接点３３ｃに得られる編集用複合データＤＡＬＸ及びＤＡＲＸが供給される付属情報データ処理部４０においては、編集用複合データＤＡＬＸ及びＤＡＲＸの夫々に含まれる付属情報データＤｅｐが取り出され、それがスイッチ４１の選択接点４１ｂに供給される。
【００５１】
スイッチ４１は、制御信号Ｃ２に応じて、可動接点４１ｃが選択接点４１ａに接続されて、可動接点４１ｃに付属情報データＤａｐが導出される状態、及び、可動接点４１ｃが選択接点４１ｂに接続されて、可動接点４１ｃに付属情報データＤｅｐが導出される状態を交互にとるものとされる。そして、スイッチ４１の可動接点４１ｃに導出される付属情報データＤａｐもしくは付属情報データＤｅｐが、スイッチ３６の選択接点３６ｂに供給される。
【００５２】
スイッチ３６は、制御信号Ｃ３に応じて、可動接点３６ｃが選択接点３６ｂに接続されて、可動接点３６ｃに付属情報データＤａｐもしくは付属情報データＤｅｐが導出され、それに続いて、可動接点３６ｃが選択接点３６ａに接続されて、可動接点３６ｃにデータ編集部３５からの記録用オーディオ情報データＤＡＥＸを形成する記録用前半トラックオーディオ情報データもしくは記録用後半トラックオーディオ情報データが導出される状態がとられる。それによりスイッチ３６においては、記録用前半トラックオーディオ情報データ及び記録用後半トラックオーディオ情報データの夫々に付属情報データＤａｐと付属情報データＤｅｐとが付加されて形成される記録用複合データＤＸＸが、可動接点３６ｃに得られる。
【００５３】
このようにして、スイッチ３６の可動接点３６ｃに得られる記録用複合データＤＸＸは、アウターパリティ付加部４２及びメモリ部４６に供給される。アウターパリティ付加部４２に供給された記録用複合データＤＸＸに含まれる記録用前半トラックオーディオ情報データ及び記録用後半トラックオーディオ情報データの夫々は、アウターパリティ付加部４２においてアウターパリティが付加され、さらに、それに加えて、インナーパリティ付加部４３においてインナーパリティが付加された後、記録増幅部４４を通じて記録用回転磁気ヘッド４５に供給される。それにより、記録用複合データＤＸＸに含まれる記録用前半トラックオーディオ情報データ及び記録用後半トラックオーディオ情報データにあっては、記録用前半トラックオーディオ情報データが、それに付加された付属情報データＤａｐ，付属情報データＤｅｐ，アウターパリティ及びインナーパリティを伴って、磁気テープＴＰにおける複数の傾斜記録トラックＴＫの夫々における領域ＡＤのうちの、読取用回転磁気ヘッド１１から得られるディジタルデータＤＴＴに含まれる前半トラックオーディオ複合データの１フレーム期間分が読み取られた位置に記録されるとともに、記録用後半トラックオーディオ情報データが、それに付加された付属情報データＤａｐ，付属情報データＤｅｐ，アウターパリティ及びインナーパリティを伴って、磁気テープＴＰにおける複数の傾斜記録トラックＴＫの夫々における領域ＡＤのうちの、読取用回転磁気ヘッド１１から得られるディジタルデータＤＴＴに含まれる後半トラックオーディオ複合データの１フレーム期間分が読み取られた位置に記録される。
【００５４】
また、メモリ部４６には、書込制御信号ＱＷＭと読出制御信号ＱＲＭとが供給され、スイッチ３６の可動接点３６ｃに導出される記録用複合データＤＸＸのメモリ部４６への書込みが、書込制御信号ＱＷＭに従って行われ、また、メモリ部４６に書き込まれて格納された記録用複合データＤＸＸについてのメモリ部４６からの読出しが、読出制御信号ＱＲＭに従って行われる。そして、メモリ部４６から読み出された記録用複合データＤＸＸは、スイッチ１７の選択接点１７ｂに供給される。
【００５５】
スイッチ１７は、制御信号Ｃ４に応じて、可動接点１７ｃが選択接点１７ａに接続されて、可動接点１７ｃにアウターパリティ誤訂正部１５からのオーディオ複合データＤＡＯが導出される状態、もしくは、可動接点１７ｃが選択接点１７ｂに接続されて、可動接点１７ｃにメモリ部４６から読み出された記録用複合データＤＸＸが導出される状態をとるものとされる。そして、スイッチ１７の可動接点１７ｃに導出されるオーディオ複合データＤＡＯもしくは記録用複合データＤＸＸは、オーディオ信号再生処理部４７に供給される。
【００５６】
オーディオ信号再生処理部４７においては、オーディオ複合データＤＡＯに基づくオーディオ信号の再生、もしくは、記録用複合データＤＸＸに含まれる記録用前半トラックオーディオ情報データ及び記録用後半トラックオーディオ情報データに基づくオーディオ信号の再生が行われる。その結果、オーディオ信号再生処理部４７からは、オーディオ複合データＤＡＯに基づいて再生されたオーディオ信号、もしくは、記録用複合データＤＸＸに含まれる記録用前半トラックオーディオ情報データ及び記録用後半トラックオーディオ情報データに基づいて再生されたオーディオ信号としての、再生左右ステレオオーディオ信号ＳＡＬＰ及びＳＡＲＰが送出される。
【００５７】
このようにしてオーディオ信号再生処理部４７から得られる再生左右ステレオオーディオ信号ＳＡＬＰ及びＳＡＲＰにより、読取用回転磁気ヘッド１１から得られるディジタル複合データＤＴＴに基づいて得られるオーディオ複合データＤＡＯによりあらわされる音声の再生、あるいは、データ編集部３５から得られる記録用オーディオ情報データＤＡＥＸを形成する記録用前半トラックオーディオ情報データ及び記録用後半トラックオーディオ情報データについてのモニターリングを行うことができる。
【００５８】
次に、編集用ディジタルデータ形成部２９から得られる編集用前半トラックオーディオ情報データＤＡＬＥ、及び、編集用ディジタルデータ形成部３２から得られる編集用後半トラックオーディオ情報データＤＡＲＥの夫々の形成過程について、図２に示されるタイムチャートを参照して詳述する。図２に示されるタイムチャートにおいては、図の左から右へと時間が経過している。
【００５９】
例えば、図４のＡ及びＢに示される場合と同様に、図２のＡに示される如くに、０〜１１の番号の繰り返しをもってあらわされ、０〜５が前半トラックで６〜１１が後半トラックとされる、磁気テープＴＰにおける傾斜記録トラックＴＫから読取用回転磁気ヘッド１１により読み取られた１フレーム期間分の前半トラックオーディオ複合データと１フレーム期間分の後半トラックオーディオ複合データとに基づき、付属情報データ処理部２１から、図２のＢに示される如くに、オーディオ補助データＤｓｐが前半トラックオーディオ補助データＤｓｐＦと後半トラックオーディオ補助データＤｓｐＳとが交互に連なる状態をもって得られる場合、付属情報データ処理部２１から得られるオーディオ補助データＤｓｐを形成する前半トラックオーディオ補助データＤｓｐＦ及び後半トラックオーディオ補助データＤｓｐＳは、フレームサイズ制御信号形成部２２において、一旦メモリ手段に格納されるとともに、図２のＣに示される如くの読出期間Ｔｒ毎にメモリ手段から読み出される。
【００６０】
そして、フレームサイズ制御信号形成部２２において、図２のＤ及び図２のＥに示される如くに、読出期間Ｔｒにおいて読み出された前半トラックオーディオ補助データＤｓｐＦがあらわす前半トラックデータサイズ情報ＤＳＮＦ、及び、読出期間Ｔｒにおいて読み出された後半トラックオーディオ補助データＤｓｐＳがあらわす後半トラックデータサイズ情報ＤＳＮＳが得られる。前半トラックデータサイズ情報ＤＳＮＦは、１フレーム期間分の前半トラックオーディオ複合データに含まれる１フレーム期間分のオーディオ情報データのデータサンプル数を示し、また、後半トラックデータサイズ情報ＤＳＮＳは、１フレーム期間分の後半トラックオーディオ複合データに含まれる１フレーム期間分のオーディオ情報データのデータサンプル数を示す。
【００６１】
さらに、フレームサイズ制御信号形成部２２において、図２のＤに示される如くに得られる前半トラックデータサイズ情報ＤＳＮＦが参照され、図２のＦに示される如くの、ディジタル信号処理部２８から編集用ディジタルデータ形成部２９に供給される置換用オーディオ情報データＤＡＬ’に対するデータサイズ設定制御を行うフレームサイズ制御信号ＰＦＬが、図２のＧに示される如くに、前半トラックデータサイズ情報ＤＳＮＦが示すデータサンプル数に応じたものとして得られ、そのフレームサイズ制御信号ＰＦＬが、編集用ディジタルデータ形成部２９に供給される。
【００６２】
それにより、編集用ディジタルデータ形成部２９において、置換用オーディオ情報データＤＡＬ’に基づき、図２のＨに示される如くに、データサイズが前半トラックデータサイズ情報ＤＳＮＦが示すデータサンプル数に対応するデータサンプル数をとるものに設定された編集用前半トラックオーディオ情報データＤＡＦＬが形成される。そして、このようにして得られる編集用前半トラックオーディオ情報データＤＡＦＬは、１フレーム期間分の前半トラックオーディオ複合データの期間に相当する期間を占めるデータを形成すべく時間圧縮され、フレームサイズ制御信号ＰＦＬより遅れた、図２のＩに示される如くの転送信号ＰＴＬに応じて、図２のＪに示される如くに、編集用前半トラックオーディオ情報データＤＡＬＥとして編集用ディジタルデータ形成部２９から送出される。
【００６３】
また、フレームサイズ制御信号形成部２２において、図２のＥに示される如くに得られる後半トラックデータサイズ情報ＤＳＮＳが参照され、図２のＫに示される如くの、ディジタル信号処理部３１から編集用ディジタルデータ形成部３２に供給される遅延された置換用オーディオ情報データＤＡＲＤに対するデータサイズ設定制御を行うフレームサイズ制御信号ＰＦＲが、図２のＬに示される如くに、後半トラックデータサイズ情報ＤＳＮＳが示すデータサンプル数に応じたものとして得られ、そのフレームサイズ制御信号ＰＦＲが、編集用ディジタルデータ形成部３２に供給される。遅延された置換用オーディオ情報データＤＡＲＤは、置換用オーディオ情報データＤＡＬ’に比して、１フレーム期間分の前半トラックオーディオ複合データの期間に相当する時間以下の時間だけ遅延しており、フレームサイズ制御信号ＰＦＲは、フレームサイズ制御信号ＰＦＬに比して、１フレーム期間分の前半トラックオーディオ複合データの期間に相当する時間だけ遅延している。
【００６４】
それにより、編集用ディジタルデータ形成部３２において、遅延された置換用オーディオ情報データＤＡＲＤに基づき、図２のＭに示される如くに、データサイズが後半トラックデータサイズ情報ＤＳＮＳが示すデータサンプル数に対応するデータサンプル数をとるものに設定された編集用後半トラックオーディオ情報データＤＡＦＲが形成される。そして、このようにして得られる編集用後半トラックオーディオ情報データＤＡＦＲは、１フレーム期間分の後半トラックオーディオ複合データの期間に相当する期間を占めるデータを形成すべく時間圧縮され、フレームサイズ制御信号ＰＦＲより遅れた、図２のＮに示される如くの転送信号ＰＴＲに応じて、図２のＯに示される如くに、編集用後半トラックオーディオ情報データＤＡＲＥとして編集用ディジタルデータ形成部３２から送出される。
【００６５】
その結果、図２のＰに示される如くに、スイッチ３３からは、編集用前半トラックオーディオ情報データＤＡＬＥと編集用後半トラックオーディオ情報データＤＡＲＥとが、順次交互に得られることになる。そして、これらの編集用前半トラックオーディオ情報データＤＡＬＥ及び編集用後半トラックオーディオ情報データＤＡＲＥにあっては、編集用前半トラックオーディオ情報データＤＡＬＥが、確実に、磁気テープＴＰにおける傾斜記録トラックＴＫから読取用回転磁気ヘッド１１により読み取られた１フレーム期間分の前半トラックオーディオ複合データに含まれる前半トラックデータサイズ情報があらわすデータサンプル数に相当するデータサンプル数を有するものとされるとともに、編集用後半トラックオーディオ情報データＤＡＲＥが、確実に、磁気テープＴＰにおける傾斜記録トラックＴＫから読取用回転磁気ヘッド１１により読み取られた１フレーム期間分の後半トラックオーディオ複合データに含まれる後半トラックデータサイズ情報があらわすデータサンプル数に相当するデータサンプル数を有するものとされることになる。
【００６６】
【発明の効果】
以上の説明から明らかな如く、本願の特許請求の範囲における請求項１から請求項６までのいずれかに記載された発明に係るディジタル情報記録読取装置によれば、第１及び第２の置換用ディジタル情報データが供給されるもとで、データ遅延部によって第２の置換用ディジタル情報データが第１の置換用ディジタル情報データに比して、例えば、データ読取部から得られる前半トラックディジタル複合データの単位区分の期間に相当する時間以下とされる所定の時間だけ遅延せしめられるので、第１の置換用ディジタル情報データが前半トラックディジタル複合データの単位区分に含まれる前半トラックデータサイズ情報に応じたフレームサイズ制御信号に従って処理されて形成され、前半トラックデータサイズ情報があらわすデータサンプル数に相当するデータサンプル数を有したものとされる編集用前半トラックディジタル情報データが得られるとともに、遅延された第２の置換用ディジタル情報データが後半トラックディジタル複合データの単位区分に含まれる後半トラックデータサイズ情報に応じたフレームサイズ制御信号に従って処理されて形成され、後半トラックデータサイズ情報があらわすデータサンプル数に相当するデータサンプル数を有したものとされる編集用後半トラックディジタル情報データが、確実に得られる。
【００６７】
それにより、データ編集部における編集処理に供される、前半トラックディジタル複合データの単位区分に含まれるディジタル情報データと編集用前半トラックディジタル情報データとが、夫々のデータサンプル数が適正に合致したものとされるとともに、同じくデータ編集処理に供される、後半トラックディジタル複合データの単位区分に含まれるディジタル情報データと編集用後半トラックディジタル情報データとが、夫々のデータサンプル数が適正に合致したものとされることになる。
【図面の簡単な説明】
【図１】
本願の特許請求の範囲における請求項１から請求項６までのいずれかに記載された発明に係るディジタル情報記録読取装置の一例を示すブロック接続図である。
【図２】
図１に示される例における動作説明に供されるタイムチャートである。
【図３】
ディジタルＶＴＲと共に使用される磁気テープの記録フォーマットの例を示す概念図である。
【図４】
従来のディジタルＶＴＲにおける動作説明に供されるタイムチャートである。
【符号の説明】
１１  読取用回転磁気ヘッド      １４  インナーパリティ誤訂正部      １５  アウターパリティ誤訂正部      １６  オーディオ・アウターパリティ誤訂正部      １８，４６  メモリ部      １９  メモリ制御信号形成部      ２１，４０  付属情報データ処理部      ２２  フレームサイズ制御信号形成部
２７，３０  Ａ／Ｄ変換部      ２８，３１  ディジタル信号処理部      ２９，３２  編集用ディジタルデータ形成部      ３５  データ編集部      ４２アウターパリティ付加部      ４３  インナーパリティ付加部      ４４  記録増幅部      ４５  記録用回転磁気ヘッド      ４７  オーディオ信号再生処理部
【図１】
0003944960.tif 000002
【図２】
0003944960.tif 000003
【図３】
0003944960.tif 000004
【図４】
0003944960.tif 000005